(57)【要約】【課題】立ち上り時間の短縮や室内の熱負荷に影響されない、短時間で快適性を向上させることができる天井放射冷暖房装置を提供することを目的とする。【解決手段】１は天井放射冷暖房装置、２は天井放射パネル、３は空調機、４ａ・４ｂはダンパー、５は空気循環風路、６は室内吹出し口、７は室内吸い込み口で構成している。まず、立ち上り時は空調機３により室内に直接空調空気が吹出され室内を一気に冷房（または暖房）する。安定状態になると空調空気は空気循環風路５を流れ、天井放射パネルを２を冷却（または加熱）され、天井放射パネル２の放射により、室内も冷却（または加熱）される。【選択図】図１
2008014557.tif 000002
【特許請求の範囲】
【請求項１】
建物の天井面と室内空間との間に取り付けられる天井放射冷暖房装置において、室内温度が設定温度に達していない不安定時は、ダンパー切り替え機構により、空調機からの空調空気を室内空間に直接吹出し、室内温度が設定温度に達した安定時は各ダンパー切り替え機構により、空調機からの空調空気は空気循環風路内を通過して、放射パネルの冷却（または加熱）を行ない、放射による室内空調に切り替えることを特徴とした天井放射冷暖房装置。
【請求項２】
空調機から吹出す空調空気を天井放射冷暖房装置の中央部から、空気循環風路を通ってあらかじめ天井パネルを冷却または加熱しながら室内へ吹出すように構成したことを特徴とした請求項１に記載の天井放射冷暖房装置。
【発明の詳細な説明】
【技術分野】
【０００１】
本発明は、天井放射パネル面を冷却あるいは加熱して室内の冷暖房を行なう天井放射冷暖房装置に関するものである。
【背景技術】
【０００２】
従来、この種の天井放射冷暖房装置は特許文献１に示されるものがある。図３に示すように、天井放射パネル２０に小孔４０を複数個設け、天井裏空間Ｂに空調機３０を設け、前記空調機３０より吹出す空調空気により天井放射パネル２０は冷却もしくは加熱される。また、空調空気の一部が小孔４０から室内空間Ａへ供給されることにより、室内空間Ａを対流と天井放射パネル２０からの放射で同時に冷暖房を行なうことができる。
【特許文献１】特開平６−１７４２６１号公報
【発明の開示】
【発明が解決しようとする課題】
【０００３】
しかしながら、前記従来の構成では、天井放射パネルに設けた小孔の大きさ・形状・個数は任意であっても、一旦建物に設置されると天井放射パネルの変更は困難であり、更に季節や天候、人数などの環境で室内の熱負荷は変動するため、快適な室内環境にするためには運転開始後、安定するまで時間がかかるという課題を有していた。また小孔が大きかったり、個数が多い場合は寒すぎたり、暑すぎたりするという課題を有していた。
【０００４】
本発明は、前記従来の課題を解決するもので、立ち上り時間を短縮し快適な室内空間を短時間でつくることができる天井放射冷暖房装置を提供することを目的とする。
【課題を解決するための手段】
【０００５】
前記従来の課題を解決するために、本発明の天井放射冷暖房装置は、室内温度が設定温度に達していない不安定時は、ダンパー切り替え機構により、空調機からの空調空気を室内空間に直接吹出し、室内温度が設定温度に達した安定時は各ダンパー切り替え機構により、空調機からの空調空気は空気循環風路内を通過して、放射パネルの冷却または加熱を行ない、放射により室内の空調を行なように制御したものである。このように、空調機からの空調空気を直接、室内空間に一気に吹出し、その後は天井放射パネルからの放射冷暖房を行なうことにより、短時間で快適性を向上させることが可能となる。
【０００６】
また、本発明の天井放射冷暖房装置は、空調機から吹出す空調空気を天井放射冷暖房装置の中央部から、空気循環風路を通って、あらかじめ天井パネルを冷却または加熱しながら室内へ吹出すように構成したものである。このように構成することで室内に直接空調空気を吹出した後、天井放射に切り替えても、あらかじめ天井パネルを冷却または加熱しているために熱容量分の室温の温度上昇（または温度低下）がなくなりスムーズな切り替えが可能となる。
【発明の効果】
【０００７】
本発明の天井放射冷暖房装置は、冷暖房の立ち上り時や熱負荷の変化による温度上昇が発生した時でも短時間で室内を安定状態に保つことができ、また直接室内に空調空気を吹出した後、天井放射パネルに切り替えても、あらかじめ天井放射パネルは冷却または加熱されてあるため室内の温度変動のない切り替えが可能であり、短時間で快適性を向上させることができる。
【発明を実施するための最良の形態】
【０００８】
第１の発明は、建物の天井面と室内空間との間に取り付けられる天井放射冷暖房装置において、室内温度が設定温度に達していない不安定時は、ダンパー切り替え機構により、空調機からの空調空気を室内空間に直接吹出し、室内温度が設定温度に達した安定時は各ダンパー切り替え機構により、空調機からの空調空気は空気循環風路内を通過して、放射パネルの冷却または加熱を行ない、放射により室内の空調を行なように制御したものである。これによって、季節や天候、人数などの環境で室内の熱負荷が変動しても、立ち上り時には室内空間に一気に空調空気が供給されるため、短時間で安定状態に近い状態になり、快適性を向上させることができる。
【０００９】
第２の発明は、空調機から吹出す空調空気を天井放射冷暖房装置の中央部から、空気循環風路を通って、あらかじめ天井パネルを冷却または加熱をしながら室内へ吹出すように構成した天井放射冷暖房装置である。このように構成することで室内に直接空調空気を吹出した後、天井放射に切り替えても、あらかじめ天井パネルを冷却または加熱しているために熱容量分の室温の温度上昇（または温度低下）がなくスムーズな切り替えが可能となる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における天井放射冷暖房装置を設置した時の天井部断面図を示すものである。
【００１２】
図１において、１は天井放射冷暖房装置、２は天井放射パネル、３は空調機、４はダンパー、５は空気循環風路、６は室内吹出口、７は室内吸込口で構成している。
【００１３】
以上のように構成された天井放射冷暖房装置１について、以下その動作、作用を説明する。
【００１４】
まず、冷房（または暖房）立ち上り時、室内温度が設定温度に達していないため、ダンパー４a、４ｂの室内側回路が開き、空調機３からの空調空気は室内吹出口６から室内空間Ａに直接吹出し、室内吸込口７へ吸い込まれて循環する。室内温度が設定温度に達すると次はダンパー４ａ・４ｂは閉じて空調空気は空気循環風路５へ流れる様になり、天井パネル２を冷却（または加熱）する様に循環し、天井放射パネル２からの放射で室内が空調されるようになる。
【００１５】
以上のように、本実施の形態においては冷暖房の立ち上り時に室内空間Ａに直接空調空気を供給し、設定温度に達してから天井パネルによる放射空調に切り替えることにより、短時間で安定した快適な室内空間Ａを得ることができる。
【００１６】
（実施の形態２）
図２は、本発明の第２の実施の形態の天井放射冷暖房装置を設置した時の断面図を示すものである。
次にこの天井放射冷暖房装置１について、以下その動作、作用を説明する。
まず冷房（または暖房）立ち上り時、室内温度が設定温度に達していないため、ダンパーは４ａ・４ｂの室内側回路は開、ダンパー７は閉、ダンパー８は室内空間Ａ側のみ回路が開かれる。この状態で空調機３から吹出したの空調空気は一旦空気循環風路５を通り室内空間Ａに吹出される。この時、空調空気により天井パネル２は除々に冷却（または加熱）されるために直接室内に空調空気が吹出され空調される効果と天井パネルの放射により空調される効果とで室内空間Ａは短時間で設定温度に達する。つまり、天井放射による空調
と直接室内空間Ａに吹出す空調空気との併用運転で室内空間Ａを空調することができる。
【００１７】
室内空間Ａが設定温度に達すると次は、ダンパー４ａ・４ｂは閉じてダンパー７は開、ダンパー８は循環側のみ開になり、空調空気は空気循環風路５内を循環し、室内空間Ａは天井放射のみで空調される。以上のように、併用運転での立ち上りの時間短縮が可能となり、室温安定時の天井放射への切り替えが室内温度変化がほとんどないまま、スムーズに切り替えることが可能となる。
また、天候や人の出入りなどの環境で室内の熱負荷が変動しても、短時間で安定状態に制御できる。
【産業上の利用可能性】
【００１８】
以上のように、本発明にかかる天井放射冷暖房装置は、放射冷暖房の立ち上り時の時間短縮や熱負荷変動時でも短時間で快適性を向上させることが可能となるので、省エネルギーにも繋がる。
【図面の簡単な説明】
【００１９】
【図１】本発明の実施の形態１における天井放射冷暖房装置の天井部断面図
【図２】本発明の実施の形態２における天井放射冷暖房装置の天井部断面図
【図３】従来の天井放射冷暖房装置の天井部断面図
【符号の説明】
【００２０】
Ａ  室内空間
Ｂ  天井裏空間
１、１０  天井放射冷暖房装置
２、２０  天井放射パネル
３、３０  空調機
４ａ、４ｂ  ダンパー
５  空気循環風路
６  室内吹出し口
７  ダンパー
８  ダンパー
【図１】
2008014557.tif 000003
【図２】
2008014557.tif 000004
【図３】
2008014557.tif 000005